【事件の表示】
　特許第２８１３９５４号「ホース収納水栓」の請求項１、２に係る特許に対する特許異議の申立てについて、次のとおり決定する。
【結　論】
　訂正を認める。
　特許第２８１３９５４号の請求項１に係る特許を維持する。
【理　由】
第１　手続の経緯
  特許出願　　　　　　平成６年４月１９日
  特許権設定登録　　　平成１０年８月１４日
　　　　　　　　　　　　　（特許第２８１３９５４号）
　特許異議の申立て　　　　　（異議申立人株式会社ケーブイケー）　
　　　　　　　　　　　平成１１年４月７日
　取消理由通知　　　　平成１１年１１月２６日
　訂正請求　　　　　　平成１２年２月１５日
　　
第２　訂正請求について
　特許権者が求めている訂正の内容は、以下のとおりである。
Ａ　特許請求の範囲の欄
　「【請求項１】カウンターＫ等に固定される本体部２から突設された吐水管１９内には、先端にシャワーヘッド部２０を有する引出しホース１６が引出し可能に内装され、該引出しホース１６は前記本体部２内を通り該本体部２から垂下され、該引出しホース１６の他端が、本体部２から垂設された混合湯を吐出する混合吐水管１１の下端にソケット部１３を介し連結されてなるホース収納水栓１において、前記ソケット部１３には、前記引出しホース１６が挿通する垂直方向のホース挿通孔１７ａを有するホースガイド１７が設けられていることを特徴とするホース収納水栓。
　【請求項２】前記ソケット部１３は前記混合吐水管１１に押し込み式でワンタッチ接続可能に構成されている請求項１に記載のホース収納水栓。」
を、
　「【請求項１】カウンターＫ等に固定される本体部２から突設された吐水管１９内には、先端にシャワーヘッド部２０を有する引出しホース１６が引出し可能に内装され、該引出しホース１６は前記本体部２内を通り該本体部２から垂下され、該引出しホース１６の他端が、本体部２から垂設された混合湯を吐出する混合吐水管１１の下端にソケット部１３を介し連結されてなるホース収納水栓１において、前記ソケット部１３には、前記引出しホース１６が挿通する垂直方向のホース挿通孔１７ａを有するホースガイド１７が設けられているとともに、該ソケット部１３は前記混合吐水管１１に押し込み式でワンタッチ接続可能に構成されていることを特徴とするホース収納水栓。」
と訂正する。
　　
Ｂ　発明の詳細な説明の欄
１、本件明細書の段落「【０００３】【課題を解決するための手段】〜【０００４】【作用】」に記載の、
　「本発明は上記従来の問題点に鑑み案出したものであって、水栓の真下で良好にホースをガイドし、ホースを軽快に出し入れできるホース収納水栓を提供せんことを目的とし、その第１の要旨は、カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなるホース収納水栓において、前記ソケット部には、前記引出しホースが挿通する垂直方向のホース挿通孔を有するホースガイドが設けられていることである。
　また、第２の要旨は、前記ソケット部は前記混合吐水管に押し込み式でワンタッチ接続可能に構成されていることである。
【０００４】
【作用】
　本体部から垂設された混合吐水管の下端に、引出しホースの先端を接続するためのソケット部にホースガイドを設けたため、ホースガイドは本体部のほぼ真下に位置し、引出しホースの引出し時に良好に引出しホースを本体部に真下側から通すことができ、引出しホースが噛み込み等を生ずることなく、軽快な動作で引出しホースの出し入れを行なうことができる。
　また、前記第２の要旨において、ソケット部はワンタッチで混合吐水管に接続可能であるため、ソケット部を混合吐水管に接続することにより、ホースガイドを本体部の真下部分に極めて容易に固定でき、ホースガイドの配設が極めて容易となる。」
を、
　「本発明は上記従来の問題点に鑑み案出したものであって、水栓の真下で良好にホースをガイドし、ホースを軽快に出し入れできるホース収納水栓を提供せんことを目的とし、その要旨は、カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなるホース収納水栓において、前記ソケット部には、前記引出しホースが挿通する垂直方向のホース挿通孔を有するホースガイドが設けられているとともに、該ソケット部は前記混合吐水管に押し込み式でワンタッチ接続可能に構成されていることである。
【０００４】
【作用】
　本体部から垂設された混合吐水管の下端に、引出しホースの先端を接続するためのソケット部にホースガイドを設けたため、ホースガイドは本体部のほぼ真下に位置し、引出しホースの引出し時に良好に引出しホースを本体部に真下側から通すことができ、引出しホースが噛み込み等を生ずることなく、軽快な動作で引出しホースの出し入れを行なうことができる。
　また、ソケット部はワンタッチで混合吐水管に接続可能であるため、ソケット部を混合吐水管に接続することにより、ホースガイドを本体部の真下部分に極めて容易に固定でき、ホースガイドの配設が極めて容易となる。」
と訂正する。
　　　　
２、本件明細書の段落「【００１２】【発明の効果】〜【００１３】」に記載の、
　「本発明は、カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなるホース収納水栓において、前記ソケット部には、前記引出しホースが挿通する垂直方向のホース挿通孔を有するホースガイドが設けられていることにより、本体部から垂設された混合吐水管の下端にソケット部を接続した時には、同時に本体部の真下部分にホースガイドが設置されることとなり、このホースガイド内に引出しホースを挿通させて、引出しホースを本体部に対し真下側から通すことができ、引出しホースの使用時に安定した軽快な動作でホースガイドに案内させて引出しホースを引き出すことができ、従来のようにキャビネット内に別部材のガイド部材を位置合わせして設置する必要がなく、ホースガイドの設置を正確かつ容易に行ない得る効果を有する。
【００１３】
　また、前記ソケット部は前記混合吐水管に押し込み式でワンタッチ接続可能に構成されていることにより、混合吐水管にワンタッチでソケット部を接続することができ、接続によりホースガイドを正確な位置に極めて容易に設置できる効果を有する。」
を、
　「本発明は、カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなるホース収納水栓において、前記ソケット部には、前記引出しホースが挿通する垂直方向のホース挿通孔を有するホースガイドが設けられているとともに、該ソケット部は前記混合吐水管に押し込み式でワンタッチ接続可能に構成されていることにより、本体部から垂設された混合吐水管の下端にソケット部を接続した時には、同時に本体部の真下部分にホースガイドが設置されることとなり、このホースガイド内に引出しホースを挿通させて、引出しホースを本体部に対し真下側から通すことができ、引出しホースの使用時に安定した軽快な動作でホースガイドに案内させて引出しホースを引き出すことができ、従来のようにキャビネット内に別部材のガイド部材を位置合わせして設置する必要がなく、ホースガイドの設置を正確かつ容易に行ない得る効果を有する。
　また、混合吐水管にワンタッチでソケット部を接続することができ、接続によりホースガイドを正確な位置に極めて容易に設置できる効果を有する。」
と訂正する。
　　
第３　訂正の適否について
Ａ　特許請求の範囲の訂正事項について
　この訂正は、願書に添付した明細書の特許請求の範囲の請求項１、２を、請求項１にするものであり、特許請求の範囲の減縮を目的とするものである。
　そして、この訂正に関連する記載として、本件明細書の、【００１２】、及び図面の第１、２図の記載を参照すると、この訂正は、願書に添付した明細書又は図面に記載した事項の範囲内の訂正である。
　さらに、この訂正は、実質上特許請求の範囲を拡張し、又は変更するものではない。
　　
Ｂ　発明の詳細な説明の訂正事項について
　前記訂正は、特許請求の範囲の訂正に伴う訂正であって、明りょうでない記載の釈明にあたり、そして、願書に添付した明細書又は図面に記載した事項の範囲内の訂正であり、さらに、実質上特許請求の範囲を拡張し、又は変更するものではない。
　　
Ｃ　独立特許要件について
１、当審の取消理由通知で引用した出願
　特願平５−２９９８２９号（特開平７−１５８１２９号公報参照、以下、「先願」という。）
　本件出願の日前の出願であって、本件出願後に出願公開された上記先願の願書に最初に添付した明細書には、
　「【００１７】　このシャワー水栓１は、流し台や洗面台に設けられるものであって、流し台や洗面台のカウンタ２上に取り付けられた湯水混合栓３を備えている。湯水混合栓３は、シャワーヘッド保持体４の上端に一体に設けられている。シャワーヘッド保持体４はカウンタ２上に固定されており、その先端が二股状になっている。そして、上方に延びたシャワーヘッド保持体４の端部には湯水混合栓３が設けられており、また、側方に延びた他端にはシャワーヘッド５が着脱自在に設けられている。」（上記公報第３頁左欄第３０行〜第３８行）、
　「【００１８】…湯水混合栓３には、ここで混合された湯水を導出する接続管１１が取り付けられている。接続管１１はある程度の剛性を備えた金属管（例えば、スパイラル加工を施された銅管）からなっている。接続管１１は湯水混合栓３の真下に延出されており、シャワーヘッド保持体４およびカウンタ２を貫通して、カウンタ２内に引き込まれている。カウンタ２内に引き込まれた接続管１１は給水栓６、給湯栓７の配置位置より若干下側まで延出されている。接続管１１の先端にはジョイント１２を介してシャワーホース１３が接続されている。シャワーホース１３の先端側はカウンタ２を貫通してシャワーヘッド保持体４に導入されたうえで、シャワーヘッド５に接続されている。」（上記公報第３頁右欄第２行〜第１４行）、
　「【００２０】　また、接続管１１のジョイント１２側端部には、カウンタ２に向かって出し入れされるシャワーホース１３を案内する案内部材１５が取り付けられている。案内部材１５は図３に示すように、接続管１１に外嵌される断面Ω形の嵌着部１６と、嵌着部１６に一体に形成された環状部１７とからなっており、これらは金属平板を屈曲成形して構成されている。環状部１７はシャワーホース１３の外径より若干大きな内径を備えており、環状部１７にシャワーホース１３を挿通させた状態で、嵌着部１６を接続管１１のジョイント１２側端部に外嵌することによって案内部材１５が接続管１１とシャワーホース１３との間の接続部に取り付けられている。このように、案内部材１５の取り付けは接続管１１に取り付ければよいので（図１では嵌着している）、比較的簡単に行え、さらには、案内部材１５とその取り付け位置とを正確に位置合わせるといった面倒な操作する必要がない。」（上記公報第３頁右欄第２８行〜第４４行）が記載されている。
　これらからみて、先願には、「カウンタ２に固定されるシャワーヘッド保持体４と、シャワーヘッド保持体４の先端が二股状に形成され、二股状の一端には湯水混合栓３が設けられ、二股状の他端内には、先端にシャワーヘッド５を有するシヤワーホース１３が引出し可能に内装され、該シヤワーホース１３はシヤワーヘッド保持体４内を通り該シヤワーヘッド保持体４から垂下され、該シヤワーホース１３の他端が、シャワーヘッド保持体４から垂設された、混合された湯水を導出する接続管１１の下端にジヨイント１２を介し連結されてなる、シャワー水栓１」の発明（以下、「先願発明」という。）が記載されているものと認められる。
　　　　
２、訂正後の本件請求項１に係る発明と、先願発明との対比・判断
　訂正後の本件請求項１に係る発明と、先願発明とを対比すると、
　両者は、「カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなる、ことを特徴とするホース収納水栓。」の点で一致しているが、
　訂正後の本件請求項１に係る発明の「ソケット部には、前記引出しホースが挿通する垂直方向のホース挿通孔を有するホースガイドが設けられているとともに、該ソケット部は前記混合吐水管に押し込み式でワンタッチ接続可能に構成されていること」の点は、先願発明（先願の願書に最初に添付した明細書及び図面）に記載されていない。
　そして、全体として、訂正後の本件請求項１に係る発明は、この相違点により明細書記載の所定の作用効果を奏するものと認められる。
　よって、訂正後の本件請求項１に係る発明と、先願発明は、同一発明であると認められない。
　従って、訂正後の本件請求項１に係る発明は、特許法第２９条の２に規定する特許を受けることができない発明に該当せず、特許出願の際独立して特許を受けることができないものである。
　　
Ｄ　訂正請求の適否についてのまとめ
　前記訂正請求は、特許法等の一部を改正する法律（平成６年法律第１１６号）附則第６条第１項の規定によりなお従前の例によるとされる、特許法第１２０条の４第２項及び第３項で準用する特許法第１２６条第２項、第３項及び第４項の規定に適合するので、本件訂正請求による訂正を認める。
　　
第４　特許異議申立てについて
Ａ　特許異議申立ての理由の概要
　特許異議申立人は、
　証拠方法として、
甲第１号証、特願平５−２９９８２９号（特開平７−１５８１２９号）
甲第２号証、株式会社ＫＶＫ’９２／’９３総合カタログ第１８５〜１８６頁（１９９２年（平成４年）７月に頒布）
を提出し、
　「本件請求項１に係る発明は、本件出願前日本国内において頒布された甲第１号証に記載された発明であり、又、本件請求項２に係る発明は、甲第１号証に記載された発明に、甲第２号証に記載されたような周知の技術を加えたもので、実質的に甲第１号証に記載された発明である。しかも、本件の発明者が先願の発明者と同一でなく、又本件特許出願の時に本件の出願人と先願の出願人とが同一の者でもないので、本件請求項１、２に係る発明は特許法第２９条の２の規定に該当し、特許を受けることができない。」
という理由で、本件請求項１、２に係る発明の特許を取り消すべき旨主張している。
　　
Ｂ　甲第１、２号証に記載された発明
　甲第１号証は、前記「第３、Ｃ、１」で記載したとおりである。
　甲第２号証には、「水抜き付逆止弁ユニット、カプラー、水抜き付逆止弁」（第１８５頁）、「本体とシャワーホースの接続、カプラーのキャップをはずし、本体側のプラグへ、カチット音がするまで押し込んで接続して下さい。」（第１８６頁）が記載されている。
　　
Ｃ　訂正後の本件請求項１に係る発明と、甲第１、２号証に記載された発明との対比・判断
　訂正後の本件請求項１に係る発明と、甲第１号証に記載された発明とを対比すると、前記「第３、Ｃ、２」で記載したとおり、訂正後の本件請求項１に係る発明の「ソケット部には、前記引出しホースが挿通する垂直方向のホース挿通孔を有するホースガイドが設けられているとともに、該ソケット部は前記混合吐水管に押し込み式でワンタッチ接続可能に構成されていること」は、甲第１号証の発明（願書に最初に添付した明細書及び図面）に記載されていない。
　又、甲第２号証には、本体とシャワーホースの接続にワンタッチ式のカプラーを用いることが記載されているだけで、訂正後の本件請求項１に係る発明の「ソケット部には、前記引出しホースが挿通する垂直方向のホース挿通孔を有するホースガイドを設け」、この「ソケット部は混合吐水管に押し込み式でワンタッチ接続可能に構成されていること」は認められない。
　そして、全体として、訂正後の本件請求項１に係る発明は、この相違点により明細書記載の所定の作用効果を奏するものと認められる。
　よって、訂正後の本件請求項１に係る発明と、甲第１号証に記載された発明は実質上同一発明であると認められない。
　従って、訂正後の本件請求項１に係る発明は、特許法第２９条の２に規定する特許を受けることができない発明に該当しない。
　　
第５　むすび
　以上のとおりであるから、特許異議申立人の主張する理由及び提出した証拠方法によっては、訂正後の本件請求項１に係る発明の特許を取り消すことはできず、また、他に訂正後の本件請求項１に係る発明の特許を取り消すべき理由を発見しない。
　よって、結論のとおり決定する。
【異議決定日】
平成１３年２月２７日（２００１．２．２７）
【訂正の要旨】
　本件訂正は、特許請求の範囲の減縮、及び明りょうでない記載の釈明を目的として、願書に添付された明細書の記載を第１及び第２のように訂正するものである。
第１．特許請求の範囲の減縮を目的として、特許請求の範囲の請求項１、２の記載を、下記のように訂正する。
　「【請求項１】カウンターＫ等に固定される本体部２から突設された吐水管１９内には、先端にシャワーヘッド部２０を有する引出しホース１６が引出し可能に内装され、該引出しホース１６は前記本体部２内を通り該本体部２から垂下され、該引出しホース１６の他端が、本体部２から垂設された混合湯を吐出する混合吐水管１１の下端にソケット部１３を介し連結されてなるホース収納水栓１において、前記ソケット部１３には、前記引出しホース１６が挿通する垂直方向のホース挿通孔１７ａを有するホースガイド１７が設けられていることを特徴とするホース収納水栓。
　【請求項２】前記ソケット部１３は前記混合吐水管１１に押し込み式でワンタッチ接続可能に構成されている請求項１に記載のホース収納水栓。」
を、
　「【請求項１】カウンターＫ等に固定される本体部２から突設された吐水管１９内には、先端にシャワーヘッド部２０を有する引出しホース１６が引出し可能に内装され、該引出しホース１６は前記本体部２内を通り該本体部２から垂下され、該引出しホース１６の他端が、本体部２から垂設された混合湯を吐出する混合吐水管１１の下端にソケット部１３を介し連結されてなるホース収納水栓１において、前記ソケット部１３には、前記引出しホース１６が挿通する垂直方向のホース挿通孔１７ａを有するホースガイド１７が設けられているとともに、該ソケット部１３は前記混合吐水管１１に押し込み式でワンタッチ接続可能に構成されていることを特徴とするホース収納水栓。」
と訂正する。
第２．明りょうでない記載の釈明を目的として、【発明の詳細な説明】の記載を、下記１、２のように訂正する。
１、本件明細書の段落「【０００３】【課題を解決するための手段】〜【０００４】【作用】」に記載の、
　「本発明は上記従来の問題点に鑑み案出したものであって、水栓の真下で良好にホースをガイドし、ホースを軽快に出し入れできるホース収納水栓を提供せんことを目的とし、その第１の要旨は、カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなるホース収納水栓において、前記ソケット部には、前記引出しホースが挿通する垂直方向のホース挿通孔を有するホースガイドが設けられていることである。
　また、第２の要旨は、前記ソケット部は前記混合吐水管に押し込み式でワンタッチ接続可能に構成されていることである。
　【０００４】
　【作用】
　本体部から垂設された混合吐水管の下端に、引出しホースの先端を接続するためのソケット部にホースガイドを設けたため、ホースガイドは本体部のほぼ真下に位置し、引出しホースの引出し時に良好に引出しホースを本体部に真下側から通すことができ、引出しホースが噛み込み等を生ずることなく、軽快な動作で引出しホースの出し入れを行なうことができる。
　また、前記第２の要旨において、ソケット部はワンタッチで混合吐水管に接続可能であるため、ソケット部を混合吐水管に接続することにより、ホースガイドを本体部の真下部分に極めて容易に固定でき、ホースガイドの配設が極めて容易となる。」
を、
　「本発明は上記従来の問題点に鑑み案出したものであって、水栓の真下で良好にホースをガイドし、ホースを軽快に出し入れできるホース収納水栓を提供せんことを目的とし、その要旨は、カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなるホース収納水栓において、前記ソケット部には、前記引出しホースが挿通する垂直方向のホース挿通孔を有するホースガイドが設けられているとともに、該ソケット部は前記混合吐水管に押し込み式でワンタッチ接続可能に構成されていることである。
　【０００４】
　【作用】
　本体部から垂設された混合吐水管の下端に、引出しホースの先端を接続するためのソケット部にホースガイドを設けたため、ホースガイドは本体部のほぼ真下に位置し、引出しホースの引出し時に良好に引出しホースを本体部に真下側から通すことができ、引出しホースが噛み込み等を生ずることなく、軽快な動作で引出しホースの出し入れを行なうことができる。
　また、ソケット部はワンタッチで混合吐水管に接続可能であるため、ソケット部を混合吐水管に接続することにより、ホースガイドを本体部の真下部分に極めて容易に固定でき、ホースガイドの配設が極めて容易となる。」
と訂正する。
２、本件明細書の段落「【００１２】【発明の効果】〜【００１３】」に記載の、
　「本発明は、カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなるホース収納水栓において、前記ソケット部には、前記引出しホースが挿通する垂直方向のホース挿通孔を有するホースガイドが設けられていることにより、本体部から垂設された混合吐水管の下端にソケット部を接続した時には、同時に本体部の真下部分にホースガイドが設置されることとなり、このホースガイド内に引出しホースを挿通させて、引出しホースを本体部に対し真下側から通すことができ、引出しホースの使用時に安定した軽快な動作でホースガイドに案内させて引出しホースを引き出すことができ、従来のようにキャビネット内に別部材のガイド部材を位置合わせして設置する必要がなく、ホースガイドの設置を正確かつ容易に行ない得る効果を有する。
　【００１３】
　また、前記ソケット部は前記混合吐水管に押し込み式でワンタッチ接続可能に構成されていることにより、混合吐水管にワンタッチでソケット部を接続することができ、接続によりホースガイドを正確な位置に極めて容易に設置できる効果を有する。」
を、
　「本発明は、カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなるホース収納水栓において、前記ソケット部には、前記引出しホースが挿通する垂直方向のホース挿通孔を有するホースガイドが設けられているとともに、該ソケット部は前記混合吐水管に押し込み式でワンタッチ接続可能に構成されていることにより、本体部から垂設された混合吐水管の下端にソケット部を接続した時には、同時に本体部の真下部分にホースガイドが設置されることとなり、このホースガイド内に引出しホースを挿通させて、引出しホースを本体部に対し真下側から通すことができ、引出しホースの使用時に安定した軽快な動作でホースガイドに案内させて引出しホースを引き出すことができ、従来のようにキャビネット内に別部材のガイド部材を位置合わせして設置する必要がなく、ホースガイドの設置を正確かつ容易に行ない得る効果を有する。
　また、混合吐水管にワンタッチでソケット部を接続することができ、接続によりホースガイドを正確な位置に極めて容易に設置できる効果を有する。」
と訂正する。
（５４）【発明の名称】
ホース収納水栓
（５７）【特許請求の範囲】
　　【請求項１】　カウンターＫ等に固定される本体部２から突設された吐水管１９内には、先端にシャワーヘッド部２０を有する引出しホース１６が引出し可能に内装され、該引出しホース１６は前記本体部２内を通り該本体部２から垂下され、該引出しホース１６の他端が、本体部２から垂設された混合湯を吐出する混合吐水管１１の下端にソケット部１３を介し連結されてなるホース収納水栓１において、前記ソケット部１３には、前記引出しホース１６が挿通する垂直方向のホース挿通孔１７ａを有するホースガイド１７が設けられているとともに、該ソケット部１３は前記混合吐水管１１に押し込み式でワンタッチ接続可能に構成されていることを特徴とするホース収納水栓。
【発明の詳細な説明】
　　　【０００１】
　　【産業上の利用分野】
　この発明は、引出し可能なホースを有するホース収納水栓に関するものである。
　　　【０００２】
　　【従来の技術及びその課題】
　従来、例えば、実開平４−１２６８号公報に開示されているような、シャワーヘッドのホースを引出し可能な水栓においては、ホースの揺れを防ぐために、ホースを案内するガイド部材を洗面台等のキャビネット内に固定しており、このような従来構造では、ガイド部材をキャビネット内に固設する際に、水栓の真下部に位置合わせをして取付けないと、ホースのガイド機能が良好に発揮できないため、ガイド部材の位置合わせを正確に行なう必要があるが、水栓の真下のキャビネット部分には点検口，その他の部材が存在することが多く、この点検口等が邪魔になってガイド部材が取付けにくい場合が多く、また、正確な位置合わせが必要となるためガイド部材の取付けが困難となることが多かった。
　　　【０００３】
　　【課題を解決するための手段】
　本発明は上記従来の問題点に鑑み案出したものであって、水栓の真下で良好にホースをガイドし、ホースを軽快に出し入れできるホース収納水栓を提供せんことを目的とし、その要旨は、カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなるホース収納水栓において、前記ソケット部には、前記引出しホースが挿通する垂直方向のホース挿通孔を有するホースガイドが設けられているとともに、該ソケット部は前記混合吐水管に押し込み式でワンタッチ接続可能に構成されていることである。
　　　【０００４】
　　【作用】
　本体部から垂設された混合吐水管の下端に、引出しホースの先端を接続するためのソケット部にホースガイドを設けたため、ホースガイドは本体部のほぼ真下に位置し、引出しホースの引出し時に良好に引出しホースを本体部に真下側から通すことができ、引出しホースが噛み込み等を生ずることなく、軽快な動作で引出しホースの出し入れを行なうことができる。
　また、ソケット部はワンタッチで混合吐水管に接続可能であるため、ソケット部を混合吐水管に接続することにより、ホースガイドを本体部の真下部分に極めて容易に固定でき、ホースガイドの配設が極めて容易となる。
　　　【０００５】
　　【実施例】
　以下、本発明の実施例を図面に基づいて説明する。
　図１は洗面化粧台等のカウンターＫに取付けられたホース収納水栓１の半断面構成図であり、図２はホース収納水栓の分解斜視図である。
　図において、ホース収納水栓１の本体部２は、カウンターＫに対し下方より締め付けナット２１を締め付けて固定されており、この本体部２内には、固定ディスク３と可動ディスク４が設けられており、操作レバー５を操作することにより可動ディスク４が固定ディスク３に対し摺動移動して、湯水の混合量が調節できるものとなっており、固定ディスク３と可動ディスク４を内装したディスク部Ｄはキャップ６により覆蓋されており、また本体部２には前記固定ディスク３に接続されて水管７と湯管８が垂設されており、水管７の下端には、外部から水を導入する水ホース９が接続され、また湯管８の下端には、外部から湯を導入する湯ホース１０が接続さている。
　　　【０００６】
　また、本体部２の固定ディスク３からは混合された湯を吐出する混合吐水管１１が垂設されており、本例では、この混合吐水管１１の下端部には雄カプラ１２が設けられている。この雄カプラ１２には、上端に雌カプラ１４を備えた逆止弁ソケット部１３が接続されるものであり、雌カプラ１４を雄カプラ１２に押し付けてワンタッチで混合吐水管１１の下端に逆止弁ソケット部１３が接続できるように構成されている。この逆止弁ソケット部１３の下端にはナット１５が設けられ、逆止弁ソケット部１３には蛇腹状の引出しホース１６の先端部が接続されている。
　　　【０００７】
　また、この逆止弁ソケット部１３にはナット１５を介し一体状にホースガイド１７が設けられており、このホースガイド１７は垂直方向のホース挿通孔１７ａを有しており、このホース挿通孔１７ａ内に引出しホース１６を上下動可能に挿通させることができるものとなっている。なお、ホースガイド１７の下部の引出しホース１６にはストッパー１８が取付けられ、引出しホース１６が引き上げられた時に、このストッパー１８がホースガイド１７の下端に当接して、引出しホース１６の引上げが阻止されるように構成されている。
　　　【０００８】
　なお、引出しホース１６は前記本体部２内を通り、さらに本体部２から突設された吐水管１９内を通り、外部に引出し可能であり、引出しホース１６の先端部にはシャワー水を吐出可能にシャワーヘッド部２０が設けられている。したがって、必要に応じシャワーヘッド部２０を手で握り、吐水管１９から引出しホース１６を引き出して使用することができ、また、吐水管１９の先端に設けられたセレーション部１９ａにシャワーヘッド部２０の下端を接続させて、吐水管１９にシャワーヘッド部２０を一体化させて収納できるものとなっている。
　　　【０００９】
　本例では前述したように、逆止弁ソケット部１３に一体でホースガイド１７を設けたため、引出しホース１６を引き出す際には、このホースガイド１７に案内されて、引出しホース１６は前記本体部２の真下側から本体部２内を通ることとなり、良好に引出し時の引出しホース１６の揺れが防止され、本体部２内で引出しホース１６が噛み込むことがなく、安定した軽快な動作で引出しホース１６の引出しが可能となり、シャワーヘッド部２０を吐水管１９に接続した状態では、ホースガイド１７にガイドされて、引出しホース１６のストッパー１８が良好にホースガイド１７の下方へ下り、このストッパー１８は図示しないキャビネットに設けられているトレー内に収納されるものである。
　　　【００１０】
　このように逆止弁ソケット部１３にホースガイド１７を一体で設けたため、逆止弁ソケット部１３を混合吐水管１１の下端にカプラ１２，１４を介しワンタッチで接続した時には、ホースガイド１７が本体部２の真下部分に良好に設置されることとなり、従来のように位置合わせを正確に行いながらキャビネット内にガイド部材を固定する必要がなく、ホースガイド１７の設置を極めて正確な位置に、かつ極めて簡単に行なうことができるものである。
　　　【００１１】
　次に、図３は寒冷地用のホース収納水栓１の要部を示し、図３ではソケット部１３Ａの下端に、露出させて逆止弁２２を設けたものであり、この逆止弁２２に引出しホース１６の先端部が接続されるものである。
　ソケット部１３Ａには、図２と同様に、混合吐水管１１の下端の雄カプラ１２にワンタッチで接続できる雌カプラ１４が設けられており、ソケット部１３Ａには一体でホース挿通孔１７ａを有するホースガイド１７が設けられている。
　なお、図３における逆止弁２２の下端には水抜きバルブ２２ａが設けられており、冬季等において凍結の危険性がある時に、この水抜きバルブ２２ａを操作して水抜きを行なうことができるように構成されたものである。
　　　【００１２】
　　【発明の効果】
　本発明は、カウンター等に固定される本体部から突設された吐水管内には、先端にシャワーヘッド部を有する引出しホースが引出し可能に内装され、該引出しホースは前記本体部内を通り該本体部から垂下され、該引出しホースの他端が、本体部から垂設された混合湯を吐出する混合吐水管の下端にソケット部を介し連結されてなるホース収納水栓において、前記ソケット部には、前記引出しホースが挿通する垂直方向のホース挿通孔を有するホースガイドが設けられているとともに、該ソケット部は前記混合吐水管に押し込み式でワンタッチ接続可能に構成されていることにより、本体部から垂設された混合吐水管の下端にソケット部を接続した時には、同時に本体部の真下部分にホースガイドが設置されることとなり、このホースガイド内に引出しホースを挿通させて、引出しホースを本体部に対し真下側から通すことができ、引出しホースの使用時に安定した軽快な動作でホースガイドに案内させて引出しホースを引き出すことができ、従来のようにキャビネット内に別部材のガイド部材を位置合わせして設置する必要がなく、ホースガイドの設置を正確かつ容易に行ない得る効果を有する。
　また、混合吐水管にワンタッチでソケット部を接続することができ、接続によりホースガイドを正確な位置に極めて容易に設置できる効果を有する。
【図面の簡単な説明】
　　【図１】
　ホース収納水栓の半断面構成図である。
　　【図２】
　図１のホース収納水栓の分解斜視図である。
　　【図３】
　寒冷地用のホース収納水栓の要部斜視構成図である。
　　【符号の説明】
　１　ホース収納水栓
　２　本体部
　５　操作レバー
　１１　混合吐水管
　１２　雄カプラ
　１３　逆止弁ソケット部
　１３Ａ　ソケット部
　１４　雌カプラ
　１６　引出しホース
　１７　ホースガイド
　１７ａ　ホース挿通孔
　１８　ストッパー
　１９　吐水管
　２０　シャワーヘッド部
　２２　逆止弁